(57)【要約】【課題】長尺物を輸送に適した車室シート配置を提供する。【解決手段】助手席用シートクッション１１をスライドレール８に沿って前方へ移動させ、助手席用シートバック１３の姿勢をその背受面１２が助手席用シートクッション１１と均一な面となるように後方へ傾け、ヒンジ９により助手席用シートクッション１１の姿勢をその着座面１０が運転席側を向くようにして、シートクッション１１及びシートバック１３を車室フロア１の車幅中央付近に壁状に起立させる。  更に、後部席用シートバック１５を後部席用シートクッション１４に重なり合うように前方へ倒して車室後端助手席側から車室前端助手席側へ至る空間を形成し、車室の全長にわたって長尺物Ｘを収納する。【選択図】図１
2005239041.tif 000002
【特許請求の範囲】
【請求項１】
運転席に並ぶ位置とその前方位置の間をスライドレールに沿って車両前後へ移動可能で且つヒンジにより着座面が車両側方を向くように起立可能な助手席用シートクッションと、この助手席用シートクッションに付帯し且つ背受面がシートクッションと均一な面になるように傾動可能な助手席用シートバックとを備えてなることを特徴とする車室シート配置。
【請求項２】
助手席用シートクッションの後方側に設置した後部席用シートクッションと、この後部席用シートクッションに付帯し且つ背受面がシートクッションの着座面に向き合うように傾動可能な後部席用シートバックとを備えた請求項１に記載の車室シート配置。
【発明の詳細な説明】
【技術分野】
【０００１】
本発明は車室シート配置に関するものである。
【背景技術】
【０００２】
従来、車室長が短いバンやワゴンで、シートクッションの前後位置の調整可能な範囲を拡大した車室シート配置が提案されている（例えば、特許文献１参照）。
【０００３】
特許文献１のものでは、助手席用シートクッションを、運転席に並ぶ位置とその前方のインストルメントパネル下側に潜り込む位置の間を車両前後へ移動し得るように設け、助手席用シートクッション後方側に助手席側の後部席用シートクッションを、運転席側の後部席用シートクッションに並ぶ位置とその前方位置の間を車両前後へ移動し得るように設けている。
【０００４】
すなわち、助手席用シートバックを助手席用シートクッションに重なり合うように前方へ向けて倒し、この助手席をインストルメントパネル下側へ押し込んだうえ、助手席側の後部席を前方へ押し出すと、当該後部席とボディ後端に設けてあるバックドアの間に荷物の積載スペースが確保される。
【特許文献１】特開２０００−２３８５６０号公報
【発明の開示】
【発明が解決しようとする課題】
【０００５】
しかしながら、特許文献１の車室シート配置は、インストルメントパネル下側に助手席を押し込む構成であるため、長尺物を輸送する場合に、助手席側の後部席用シートバックを後部座用シートクッションに重なり合うように前方へ向けて倒したとしても、長尺物を積み込める範囲はインストルメントパネル表面から車室後端のバックドア内面の間に限定されてしまう。
【０００６】
本発明は上述した実情に鑑みてなしたもので、長尺物の輸送に適した車室シート配置を提供することを目的としている。
【課題を解決するための手段】
【０００７】
上記目的を達成するため、請求項１に記載の発明は、運転席に並ぶ位置とその前方位置の間をスライドレールに沿って車両前後へ移動可能で且つヒンジにより着座面が車両側方を向くように起立可能な助手席用シートクッションと、この助手席用シートクッションに付帯し且つ背受面がシートクッションと均一な面になるように傾動可能な助手席用シートバックとを備えている。
【０００８】
請求項２に記載の発明は、助手席用シートクッションの後方側に設置した後部席用シートクッションと、この後部席用シートクッションに付帯し且つ背受面がシートクッションの着座面に向き合うように傾動可能な後部席用シートバックとを備えている。
【０００９】
請求項１に記載の発明においては、助手席用シートクッションを前方へ移動させた後、助手席用シートバックを後方へ傾けてシートバックの着座面がシートクッションと均一な面になるようにし、シートクッション及びシートバックを壁状に起して車室前端助手席側に空間を形成する。
【００１０】
請求項２に記載の発明においては、後部席用シートバックを後部席用シートクッションに重なるように前方へ倒して、車室後端助手席側から車室前端助手席側へ至る空間を形成する。
【発明の効果】
【００１１】
本発明によれば下記のような優れた効果を奏し得る。
【００１２】
（１）請求項１に記載の発明では、助手席用シートクッションと助手席用シートバックを壁状に起して車室前端助手席側に空間を形成すると、この空間を利用して車室に長尺物を収納できるようになり、車両の用途が拡がる。
【００１３】
（２）車室前端助手席側に形成した空間には、運転席、または、車室フロアの地上高が低い部位に対して助手席側の車外のいずれかから荷物の積み下ろしを行なえるので、労力の軽減を図ることができる。
【００１４】
（３）請求項２に記載の発明では、後部席用シートバックを後部席用シートクッションに重なり合うように倒して、車室後端助手席側から車室前端に助手席側へ至る空間を形成すると、車室の全長にわたって長尺物を収納できるようになり、車両の用途がより拡がる。
【発明を実施するための最良の形態】
【００１５】
以下、本発明の実施の形態を図面に基づき説明する。
【００１６】
図１は本発明の車室シート配置の実施の形態の一例を示すもので、１は車室フロア、２はインストルメントパネル、３はステアリングハンドル、４は運転席用シートクッション、５は運転席用シートバック、６は右側（運転席側）の後部席用シートクッション、７は右側の後部席用シートバックを表している。
【００１７】
この車室シート配置は、車室フロア１に埋め込んだスライドレール８に沿って運転席に並ぶ位置とその前方位置の間を車両前後へ移動可能で且つスライドレール８に付帯のヒンジ９により着座面１０が運転席側を向くように起立可能な助手席用シートクッション１１と、この助手席用シートクッション１１に付帯し且つ背受面１２がシートクッション１１と均一な面になるように傾動可能な助手席用シートバック１３とを備えている。
【００１８】
また、助手席用シートクッション１１の後方側に左側の後部席用シートクッション１４を設置し、この後部席用シートクッション１４に後部席用シートバック１５を傾動可能に枢支して、前方へ倒したシートバック１５の背受面１６がシートクッション１４の着座面１７に向き合うようにしてある。
【００１９】
長尺物Ｘの輸送をするときには、助手席用シートクッション１１をスライドレール８に沿って運転席に並ぶ位置よりも前方へ移動させ、助手席用シートバック１３の姿勢をその背受面１２が助手席用シートクッション１１と均一な面となるように後方へ傾けたうえ、ヒンジ９により助手席用シートクッション１１の姿勢をその着座面１０が運転席側を向くように設定して、シートクッション１１及びシートバック１３を車室フロア１の車幅中央付近に壁状に起立させる（図１下段参照）。
【００２０】
次いで、後部席用シートバック１５を後部席用シートクッション１４に重なり合うように倒し、車室後端から後部席用シートバック１５の上方、助手席用シートバック１３及び助手席用シートクッション１１の左方を経てインストルメントパネル２の下方に至る空間を形成する。
【００２１】
これにより、車室の全長にわたって長尺物Ｘを収納することが可能になり、車両の用途が拡がる。
【００２２】
また、例えば長尺物Ｘがあまり長くない場合は、後部席用シートバック１５を倒さなくても、運転席の側方の空間を利用して車室に長尺物Ｘを収納できる。
【００２３】
助手席用シートクッション１１及び助手席用シートバック１３を壁状に起しておけば、車室フロア１の地上高が低い部位に助手席側から荷物の積み下ろしが行なえるので、労力の軽減を図ることができ、介助が必要な人を助手席側から後部席へ乗せることもできる。
【００２４】
長尺物Ｘの輸送を考慮しなくてもよい場合は、着座面１０を上向きに設定した助手席用シートクッション１１をスライドレール８に沿って移動させて運転席に並べる。
【００２５】
次いで、助手席用シートバック１３の姿勢をその背受面１２が前方を向くように立て、後部席用シートバック１５の姿勢をその背受面１６が前方を向くように立てて、運転者を含めて４人が車室に搭乗できるようにする（図１上段参照）。
【００２６】
更に改めて図示しないが、本発明は、助手席用シートクッション１１をその着座面１０が運転席とは反対側を向き且つ助手席ドアに沿って起立させるような配置も技術思想として包含している。
【００２７】
このような配置を採用した場合、介助が必要な人を助手席側から後部席へ乗せることは適わなくなるものの、搭乗者が車外へ出ずして運転席から助手席側の空間への荷物の積み降ろしが可能なクイックデリバリ機能を車両に具備させることができる。
【００２８】
なお、本発明の車室シート配置は、上述した実施の形態のみに限定されるものではなく、本発明の要旨を逸脱しない範囲において変更を加え得ることは勿論である。
【産業上の利用可能性】
【００２９】
本発明の車室シート配置は、様々な車種に適用できる。
【図面の簡単な説明】
【００３０】
【図１】本発明の車室シート配置の実施の形態の一例を示す概念図である。
【符号の説明】
【００３１】
８    スライドレール
９    ヒンジ
１０  着座面
１１  助手席用シートクッション
１２  背受面
１３  助手席用シートバック
１４  後部席用シートクッション
１５  後部席用シートバック
１６  背受面
１７  着座面
【図１】
2005239041.tif 000003